(57)【特許請求の範囲】
【請求項１】
ベース板と、該ベース板の上面に記録紙の搬送方向と直交する方向に一定間隔で平行に配設された複数のリブとを備え、該リブによって記録ヘッドのヘッド面と当該リブ上を通る記録紙との間隔を規定する構成の記録紙支持装置であって、
前記リブの下流側における近傍位置で且つ隣り合うリブのほぼ中央に相当する位置に、記録紙をその裏面側から支える下ガイド板に向けて付勢する付勢手段が設けられており、
前記リブは、その上面が記録紙搬送方向の上流側から下流側に向かってリブ上り傾斜面、リブ頂面、及びリブ下り傾斜面にて形成され、
前記ベース板も、その上面が記録紙搬送方向の上流側から下流側に向かってベース上り傾斜面、ベース頂面、及びベース下り傾斜面にて形成され、
前記リブ上り傾斜面と前記ベース上り傾斜面、前記リブ頂面と前記ベース頂面、及び前記リブ下り傾斜面と前記ベース下り傾斜面とがそれぞれ対応する位置関係にあり、
前記リブ頂面は、前記ベース頂面より０．１ｍｍ〜０．５ｍｍ高く形成され、前記リブ下り傾斜面と前記ベース下り傾斜面は、下流側に向かって高低差が漸次拡大するように形成されている、
ことを特徴とする記録紙支持装置。
【請求項２】
請求項１において、複数のリブのピッチは、２１ｍｍ〜２５ｍｍに形成されていることを特徴とする記録紙支持装置。
【請求項３】
請求項１または２において、リブの頂面は、下流側が記録ヘッドのヘッド面と平行な水平面に形成され、上流側が該水平面をトップ高さとする僅かな傾斜面に形成されていることを特徴とする記録紙支持装置。
【請求項４】
請求項２において、リブの頂面は、下流側が記録ヘッドのヘッド面と平行な水平面に形成され、上流側が該水平面をトップ高さとする僅かな傾斜面に形成され、
隣り合うリブの間であって前記ベース上り傾斜面及び前記ベース頂面の部分にサブリブが設けられ、該サブリブは、そのサブリブ上り傾斜面が前記リブ上り傾斜面と同位置、同傾斜角度及び同高さに形成されていることを特徴とする記録紙支持装置。
【請求項５】
請求項４において、サブリブ頂面は、下流側に向かって前記リブ頂面との高低差が漸次拡大するように形成されていることを特徴とする記録紙支持装置。
【請求項６】
請求項５において、サブリブ頂面は、その下流端の位置及び高さが前記ベース頂面の下流端の位置及び高さと一致するように形成されていることを特徴とする記録紙支持装置。
【請求項７】
給紙部、記録部及び排紙部が上、中及び下の位置関係に配置され、前記給紙部から前記記録部を経て前記排紙部に向かう用紙搬送経路が斜め上方の奥側から斜め下方の手前側にほぼ真っ直ぐに形成されている大型記録装置であって、
前記記録部は、記録ヘッドと対向する側に位置する記録紙支持装置として、請求項１〜６のいずれか１項に記載された記録紙支持装置を備えることを特徴とする大型記録装置。
【発明の詳細な説明】
【０００１】
【発明の属する技術分野】
本発明は、インクジェットプリンタ等の記録装置に用いられ、ベース板と、該ベース板の上面に記録紙の搬送方向と直交する方向に一定間隔で平行に配設された複数のリブとを備え、該リブによって記録ヘッドのヘッド面と当該リブ上を通る記録紙との間隔を規定する構成の記録紙支持装置及びそれを用いた大型記録装置に関する。
【０００２】
【従来の技術】
従来のインクジェットプリンタにおいて、記録ヘッドと対向する側にあって、記録紙を用紙裏面側から支持する記録紙支持装置は、そのベース板に設けられているリブは、該ベース板に対する突出高さ、すなわちリブ高さが約２ｍｍで、各リブ間のピッチは約１２ｍｍに形成されている。これにより、記録ヘッドのヘッド面と当該リブ上を通る記録紙との間隔（以下「ペーパーギャップ」と言う）をほぼねらいとする一定範囲に規定すると共に、インクで用紙が濡れることで発生する用紙のコックリング現象における用紙の撓みを各リブ間に逃がして、前記ペーパーギャップの変動を低減するようになっている。
【０００３】
大小多種類のサイズの用紙に対しても、前記ペーパーギャップを一定に保持し、安定した用紙搬送を実現するために、前記リブの下流側に位置して記録紙をその裏面側から支える平坦な下ガイド板に、以下のような吸引口が設けられたものが提供されている。すなわち、吸引ファンに連通されている吸引口が前記リブの下流近傍位置に所定間隔で縦横に多数個設けられており、該吸引口の吸引力（負圧）によって用紙を強制的に平坦な下ガイド板の上面に引き付け、これにより用紙の浮き上がりを無くすと共に、その上流側において記録紙をリブ頂面に押し付ける作用を果たして、前記ペーパーギャップを一定に保持するようになっている。
【０００４】
【発明が解決しようとする課題】
ところが、前記リブの下流側近傍位置に設けた前記吸引口により吸引して、記録紙を強制的に下ガイド板に引き付けることで、記録紙の大きな浮き上がりは防止できるが、当該吸引力をリブ下流の近傍位置で記録紙に作用させるため、その吸引口による吸引力が該吸引口の直ぐ上流側にあるリブの部分にまで影響する。すなわち、記録紙のリブ間に在る部分が、吸引口部分の吸引力よりは弱い力にはなっているが、その力で下方に引っ張られる。この部分の記録紙はインクで濡れて緩くなっているため、リブ高さが２ｍｍ程度もあると、当該記録紙のリブ間に在る部分が伸ばされてしまい、記録ヘッドと対向する部分におけるコックリングの振幅が増大し、前記ペーパーギャップに無視できない程度のコックリングの影響が現れ、記録品質を低下する虞があった。
【０００５】
本発明の目的は、リブの下流側近傍位置に吸引口が設けられ、該吸引口により吸引して、記録紙を強制的に下ガイド板に引き付ける構成の記録装置であっても、記録ヘッドと対向する部分における記録紙のコックリングの振幅を小さく規制でき、これによって前記ペーパーギャップにコックリングの影響が現れるのを防止でき、もって記録品質を低下する虞の少ない記録紙支持装置及びそれを備えた大型記録装置を提供することにある。
【０００６】
【課題を解決するための手段】
上記課題を達成するため、本願請求項１に記載の発明は、ベース板と、該ベース板の上面に記録紙の搬送方向と直交する方向に一定間隔で平行に配設された複数のリブとを備え、該リブによって記録ヘッドのヘッド面と当該リブ上を通る記録紙との間隔を規定する構成の記録紙支持装置であって、前記リブの下流側における近傍位置で且つ隣り合うリブのほぼ中央に相当する位置に、記録紙をその裏面側から支える下ガイド板に向けて付勢する付勢手段が設けられており、前記リブは、その上面が記録紙搬送方向の上流側から下流側に向かってリブ上り傾斜面、リブ頂面、及びリブ下り傾斜面にて形成され、前記ベース板も、その上面が記録紙搬送方向の上流側から下流側に向かってベース上り傾斜面、ベース頂面、及びベース下り傾斜面にて形成され、前記リブ上り傾斜面と前記ベース上り傾斜面、前記リブ頂面と前記ベース頂面、及び前記リブ下り傾斜面と前記ベース下り傾斜面とがそれぞれ対応する位置関係にあり、前記リブ頂面は、前記ベース頂面より０．１ｍｍ〜０．５ｍｍ高く形成され、前記リブ下り傾斜面と前記ベース下り傾斜面は、下流側に向かって高低差が漸次拡大するように形成されていることを特徴とする。
【０００７】
本発明によれば、前記リブ上り傾斜面と前記ベース上り傾斜面、前記リブ頂面と前記ベース頂面、及び前記リブ下り傾斜面と前記ベース下り傾斜面とがそれぞれ対応する位置関係にあり、その位置関係の下で、前記リブ頂面は、前記ベース頂面より０．１ｍｍ〜０．５ｍｍ高く形成されている、即ちリブ高さが０．１ｍｍ〜０．５ｍｍ程度と、従来よりもかなり小さく形成されているので、前記吸引力等の付勢力の影響で記録用紙の前記リブ間にある部分が下方に引っ張られても、直ちにベース頂面に接触して、伸びるのが抑制される。従って、記録ヘッドと対向する部分における記録紙のコックリングの振幅を小さく規制でき、これによって前記ペーパーギャップにコックリングの影響が現れるのを防止できる。
【０００８】
また、記録紙は、インクで濡れることによってコックリングの振幅が時間と共に、即ち搬送進行と共に、ある規模まで次第に大きくなっていくため、リブ高さが０．１ｍｍ〜０．５ｍｍのままでは、コックリングによる波打ち変形（用紙撓み）の逃げ場がなくなり、生成されたコックリングが不規則となって前記ペーパーギャップに悪影響を与える虞がある。しかし、本発明によれば、前記リブ下り傾斜面と前記ベース下り傾斜面は、下流側に向かって高低差が漸次拡大するように形成されているので、コックリングによる波打ち変形（用紙撓み）が次第に大きくなりつつ当該記録紙の搬送が進行しても、該波打ち変形の逃げが可能となり、コックリングの波打ち変形を規則的なものに安定化させることができる。
【０００９】
また、本願請求項２に記載の発明は、請求項１に記載の記録紙支持装置において、複数のリブのピッチは、２１ｍｍ〜２５ｍｍに形成されていることを特徴とする。本発明によれば、リブピッチを２１ｍｍ〜２５ｍｍにしたので、０．２ｍｍ程度の厚めの記録紙に対してコックリングを安定化させることができる。
【００１０】
また、本願請求項３に記載の発明は、請求項１または２に記載の記録紙支持装置において、リブの頂面は、下流側が記録ヘッドのヘッド面と平行な水平面に形成され、上流側が該水平面をトップ高さとする僅かな傾斜面に形成されていることを特徴とする。
【００１１】
ここで、僅かな傾斜面とは、ペーパーギャップを規定するリブ頂面としての機能が維持できる程度の極小さい傾斜面であることを意味する。本発明によれば、前記僅かな傾斜面を設けたことで、リブ頂面に擦れつつ搬送される記録紙の該リブ頂面における搬送抵抗を軽減し、もって搬送を安定化させることができる。
【００１２】
また、本願請求項４に記載の発明は、請求項２に記載の記録紙支持装置において、リブの頂面は、下流側が記録ヘッドのヘッド面と平行な水平面に形成され、上流側が該水平面をトップ高さとする僅かな傾斜面に形成され、隣り合うリブの間であって前記ベース上り傾斜面及び前記ベース頂面の部分にサブリブが設けられ、該サブリブは、そのサブリブ上り傾斜面が前記リブ上り傾斜面と同位置、同傾斜角度及び同高さに形成されていることを特徴とする。
【００１３】
本発明によれば、隣り合うリブの間であって前記ベース上り傾斜面及び前記ベース頂面の部分にサブリブが設けられ、該サブリブは、そのサブリブ上り傾斜面が前記リブ上り傾斜面と同位置、同傾斜角度及び同高さに形成されているので、コックリング現象が起きていない状態の記録紙先端がリブ上り傾斜面を通ってリブ頂面に到達する際に、実質のリブ間隔が密になってその搬送を安定化することができる。更に該サブリブは、前記リブ頂面の最上流側部分と同じ機能を発揮してペーパーギャップを安定良く規定することができる。
【００１４】
また、本願請求項５に記載の発明は、請求項４に記載の記録紙支持装置において、サブリブ頂面は、下流側に向かって前記リブ頂面との高低差が漸次拡大するように形成されていることを特徴とする。
本発明によれば、記録ヘッドと対向する部分においては、記録紙がインクで濡れて撓みが発生し始め、その搬送進行と共に該撓みが徐々に成長するが、サブリブ頂面は、下流側に向かって前記リブ頂面との高低差が漸次拡大するので、すなわちサブリブ頂面の高さがリブ頂面の高さより、徐々に低くなるので、前記記録紙の撓みの成長に対応して、それを逃がすことができる。
【００１５】
また、本願請求項６に記載の発明は、請求項５に記載の記録紙支持装置において、サブリブ頂面は、その下流端の位置及び高さが前記ベース頂面の下流端の位置及び高さと一致するように形成されていることを特徴とする。
本発明によれば、サブリブ頂面は、その下流端の位置及び高さが前記ベース頂面の下流端の位置及び高さと一致するので、サブリブ頂面の役割を、その最下流部分において前記ベース頂面の役割と一体化することができ、効果的である。
【００１６】
また、本願請求項７に記載の発明は、給紙部、記録部及び排紙部が上、中及び下の位置関係に配置され、前記給紙部から前記記録部を経て前記排紙部に向かう用紙搬送経路が斜め上方の奥側から斜め下方の手前側にほぼ真っ直ぐに形成されている大型記録装置であって、前記記録部は、記録ヘッドと対向する側に位置する記録紙支持装置として、請求項１〜６のいずれか１項に記載された記録紙支持装置を備えることを特徴とする。
本発明によれば、大型の記録装置においては、前記吸引口が設けられる場合が多いので、本発明を適用する効果は顕著である。
【００１７】
【発明の実施の形態】
以下、本願発明の実施の形態を図面に基づいて説明する。図１は本発明の一実施の形態に係る記録紙支持装置の要部斜視図であり、図２は同記録紙支持装置の断面図であって、（Ａ）は図１のＡ−Ａ線断面図、（Ｂ）は図１のＢ−Ｂ線断面図であり、図３は吸引口が設けられている部分の要部平面図である。図４は同記録紙支持装置を備えた大型プリンタの概略縦断面図であり、図５は当該大型プリンタの印刷部（記録部）、正確にはその用紙搬送経路中に在る印刷部の前後における搬送面の構造を示した図であり、図６は当該大型プリンタの概略正面図である。
【００１８】
本実施の形態に係る大型プリンタの構造から説明する。図４に示した如く、給紙部３０、印刷部７及び排紙部８が上、中及び下の位置関係に配置されている。そして、前記給紙部３０から前記印刷部７を経て前記排紙部８に向かう用紙搬送経路が斜め上方の奥側から斜め下方の手前側にほぼ真っ直ぐに形成されている。当該給紙部３０は、ロール紙３と大型の剛性厚紙２１を含む単票用紙（図５）の両方を給紙できるものである。具体的には、ロール紙３は、２本のスピンドル４、５により給紙部３０に交換時に取り外しできるように取り付けられており、また剛性厚紙２１は、図５に示した如く、給紙部３０の前面側の斜面を利用して載置することによりセットできるように構成されている。本実施の形態では、装着されたロール紙３の前面に設けられるロール紙カバー２８が、剛性厚紙２１を含む単票用紙のセット状態での支え部２９を兼ねるように形成されている。
【００１９】
印刷部７は、インクジェット式の印字ヘッド２２及び該印字ヘッド２２のヘッド面に対向して配置された記録紙支持装置の要部を成すプラテン３３（図５）とを有すると共に、その印字ヘッド２２の上流側における用紙搬送面として作用する平坦な給紙ガイド３１と、下流側における用紙搬送面として作用する下ガイド板２３とを有する。本実施の形態では、この給紙ガイド３１による印字ヘッド２２の上流側における用紙搬送面と、下ガイド板２３による印字ヘッド２２の下流側における用紙搬送面とは段差ｄ（図５参照）を持って設けられ、印字ヘッド７の下流側における用紙搬送面の方が奥側に下った段差構造となっている。図において、符号５２はフロントカバーを示す。
【００２０】
図５に基づいて、上記印刷部７の構造を更に詳しく説明する。上記給紙ガイド３１による印字ヘッド２２の上流側における用紙搬送面と、下ガイド板２３による印字ヘッド２２の下流側における用紙搬送面とは、プラテン３３を境として、段差ｄが付けられている。すなわち、このプラテン３３の用紙載置面は、プラテン３３の上面に突設された複数のリブ３４により決定されており、給紙ガイド３１のレベルは、このリブ３４とほぼ同一に、また下ガイド板２３のレベルは、これより段差ｄだけ奥側に下げられている。
【００２１】
そして、印字ヘッド２２の下流側における下ガイド板２３には、吸引室（図示せず）に連通された複数の小孔から成る吸引口２５が設けられ、吸引ファン２４による吸引力により該吸引口２５を通して記録紙４０を裏面側から吸引して、用紙の浮き上がりを抑え、平坦な状態にしてしっかりと用紙搬送面に保持し得るようになっている。この吸引口２５は、横方向に並べて形成され、本実施の形態では所定間隔をあけて横に５列設けられている。該吸引口２５は、上記吸引室および吸引ファン２４と共に、記録紙をその裏面側から支える下ガイド板２３に向けて付勢する付勢手段を構成するものである。
【００２２】
図５に示したように、印字ヘッド２２とプラテン３３の組のすぐ上流側には、紙送りローラ５０が配置され、該紙送りローラ５０は、駆動ローラ３５と従動ローラ３６の組から成ると共に、従動ローラ３６が回動レバー３７により駆動ローラ３５に対して接離可能に設けられている。この接離機構を必要とするのは、記録紙を位置合わせする際に、従動ローラ３６を駆動ローラ３５から離して(レリース状態)、ここを通過し易くするためである。
即ち、記録紙の先端位置合わせは、記録紙４０の先端を用紙搬送経路に斜め上方から差し込んで印刷部７の印字領域（印字ヘッド２２の下）を通過させ、該記録紙先端を下ガイド板２３上のセットマークとしての横ライン３８に合わせて行われるように形成されている。ここで、横ライン３８は、前記吸引口２５の列の最下流位置のもので兼用されている（図５と図６参照）。
【００２３】
更に、記録紙４０の縦方向の位置合わせをするための縦ライン３９が、図６に示したように、多数の吸引口２５の吸引領域の最側端位置（本実施の形態では右側端）のもので兼用されている。そして、この位置合わせが終了した後、従動ローラ３６を駆動ローラ３５に接近させてニップさせてから、駆動ローラ３５を逆転させて記録紙先端を戻し、印刷開始位置に停止させる。ここで、セットマークとしての横ライン３８及び縦ライン３９は、これらを利用して記録紙先端の位置合わせを行うことにより、記録紙の斜行搬送を予め防止する役割を果たすものである。
【００２４】
本実施の形態では、前記給紙部３０は、図５に示したように記録紙４０としてロール紙３も給紙可能に構成されているが、用紙搬送経路に送り出されたロール紙３は、印字ヘッド２２の下流側に印字ヘッド２２から一定距離だけ離れてキャリッジ２に配置されたカッター４１により、印刷単位毎に所定長さの所で切断されるようになっている。本実施の形態の場合、カッター４１はソレノイド４２により復帰バネ４３に抗して搬送面の手前側から奥側に駆動される構成となっている。
【００２５】
また、排紙部８は、印刷された用紙を受ける部分であり、排紙切換レバー２６によって、ロール紙３の印別時にはスタック布２７をプリンタ前面に展開したり、印刷済みの用紙をプリンタ本体下部に誘導したり、或いは、剛性厚紙の印刷時には剛性厚紙の排出の妨げにならない位置（図４の位置）に退避させるように形成されている。
【００２６】
ここで、本発明の一実施の形態に係る記録紙支持装置の具体的構造について、図１乃至図３に基づいて説明する。本実施の形態の記録紙支持装置は、そのプラテン３３は、ベース板７１と、該ベース板７１の上面に記録紙の搬送方向と直交する方向に一定間隔で平行に配設された複数のリブ３４とを備えている。このリブ３４によって印刷ヘッド２２のヘッド面と当該リブ３４上を通る記録紙との間隔を規定している。
【００２７】
図１に示したように、プラテン３３の下流側には記録紙をその裏面側から支える下ガイド板２３が配設されている。そして、前記リブ３４の下流側における近傍位置で且つ隣り合うリブ３４のほぼ中央に相当する位置に、前記下ガイド板２３に向けて付勢する付勢手段としての前記吸引口２５が縦横に設けられている。
【００２８】
前記リブ３４は、その上面が記録紙搬送方向の上流側から下流側に向かってリブ上り傾斜面３４１、リブ頂面３４２、及びリブ下り傾斜面３４３にて形成されている。前記ベース板７１も、その上面が記録紙搬送方向の上流側から下流側に向かってベース上り傾斜面７１１、ベース頂面７１２、及びベース下り傾斜面７１３にて形成されている。そして、前記リブ上り傾斜面３４１とベース上り傾斜面７１１、前記リブ頂面３４２とベース頂面７１２、及び前記リブ下り傾斜面３４３とベース下り傾斜面７１３とが、それぞれ対応する位置関係になるように形成されている。図において、符号３４４は面取り部を示す。
【００２９】
前記位置関係の下で、前記リブ頂面３４２は、ベース頂面より０．１ｍｍ〜０．５ｍｍの範囲で高く、本実施の形態では、０．２ｍｍ高く形成されている。更に、前記リブ下り傾斜面３４３とベース下り傾斜面７１３は、図２に示したように、下流側に向かって高低差が漸次拡大するように形成されている。本実施の形態では、リブ頂面３４２の幅は約２ｍｍに形成されている。
記録紙の搬送方向と直交する方向に一定間隔で設けられた複数のリブ３４は、そのピッチが２１ｍｍ〜２５ｍｍの範囲で、本実施の形態では２４ｍｍに形成されている。
【００３０】
前記リブ３４のリブ頂面３４２は、下流側が印刷ヘッド２２のヘッド面と平行な水平面３４２１に形成され、上流側が該水平面３４２１をトップ高さとする僅かな傾斜面３４２２に形成されている。僅かな傾斜面とは、ペーパーギャップを規定するリブ頂面３４としての機能が維持できる程度の極小さい傾斜面であることを意味する。
【００３１】
隣り合うリブ３４の間であって前記ベース上り傾斜面７１１及びベース頂面７１２の部分にサブリブ８０が設けられている。該サブリブ８０は、そのサブリブ上り傾斜面８０１が前記リブ上り傾斜面３４１と同位置、同傾斜角度及び同高さに形成されている。更に、図２（Ｂ）に示したように、サブリブ頂面８０２は、下流側に向かって前記リブ頂面３４２との高低差が漸次拡大するように形成されている。本実施の形態では、サブリブ頂面８０２は、その下流端８０４の位置及び高さが前記ベース頂面７１２の下流端７１４の位置及び高さと一致するように形成されている。
【００３２】
また、図１及び図３に示したように、記録ヘッド２２の下流に位置して記録紙をその裏面側から支える下ガイド板２３には、該下ガイド板２３の上面に向けて記録紙を付勢する付勢手段を構成する吸引口２５が設けられているが、当該下ガイド板２３の記録紙搬送方向と直交する方向における隣り合う前記吸引口２５同士の間に、補助リブ９０が複数設けられている。該補助リブ９０は、本実施の形態では、リブ高さが約２ｍｍ、幅も約２ｍｍで、記録紙搬送方向に長尺に形成されている。前記吸引口２５は、既述のように記録紙搬送方向にも所定間隔で複数設けられており、これにより図３に示したように、当該吸引口２５は縦横に所定間隔で配列されている。尚、該吸引口２５は、下流側に吸引誘導溝２５０が形成され、該誘導溝２５０の方向から空気が吸い込まれやすくなっている。
【００３３】
そして、前記吸引口２５が、プラテン３３上の隣り合う前記リブ３４間のほぼ中央に相当する位置に設けられていると共に、当該補助リブ９０は、隣り合う前記吸引口２５同士のほぼ中央位置に、記録紙搬送方向と直交する方向に一列に配列されている。図３において、符号９１は下ガイド板２３を取り付けるための取付用孔を示す。
【００３４】
次に、上記実施の形態の作用を説明する。本実施の形態よれば、前記リブ上り傾斜面３４１とベース上り傾斜面７１１、前記リブ頂面３４２とベース頂面７１２、及び前記リブ下り傾斜面３４３とベース下り傾斜面７１３とがそれぞれ対応する位置関係にあり、その位置関係の下で、前記リブ頂面３４２は、前記ベース頂面７１２より０．１ｍｍ〜０．５ｍｍ高く形成されている。即ちリブ高さが０．１ｍｍ〜０．５ｍｍ程度と、従来よりもかなり小さく形成されているので、前記吸引力等の付勢力の影響で記録用紙の前記リブ間にある部分が下方に引っ張られても、直ちにベース頂面７１２に接触して、伸びるのが抑制される。従って、記録ヘッド２２と対向する部分における記録紙のコックリングの振幅を小さく規制でき、これによって前記ペーパーギャップにコックリングの影響が現れるのを防止できる。
【００３５】
また、記録紙は、インクで濡れることによってコックリングの振幅が時間と共に、即ち搬送進行と共に、ある規模まで次第に大きくなっていくため、リブ高さが０．１ｍｍ〜０．５ｍｍのままでは、コックリングによる波打ち変形（用紙撓み）の逃げ場がなくなり、生成されたコックリングが不規則となって前記ペーパーギャップに悪影響を与える虞がある。しかし、本実施の形態によれば、前記リブ下り傾斜面３４３とベース下り傾斜面７１３は、下流側に向かって高低差が漸次拡大するように形成されているので、コックリングによる波打ち変形（用紙撓み）が次第に大きくなりつつ当該記録紙の搬送が進行しても、該波打ち変形の逃げが可能となり、コックリングの波打ち変形を規則的なものに安定化させることができる。また、複数のリブのピッチは、２１ｍｍ〜２５ｍｍに形成されているので、０．２ｍｍ程度の厚めの記録紙に対してコックリングを安定化させることができる。
【００３６】
また、リブの頂面３４２が、下流側が記録ヘッド２２のヘッド面と平行な水平面３４２１に形成され、上流側が該水平面３４２１をトップ高さとする僅かな傾斜面３４２２に形成されているので、リブ頂面３４２に擦れつつ搬送される記録紙の該リブ頂面３４２における搬送抵抗を軽減し、もって搬送を安定化させることができる。
【００３７】
また、隣り合うリブ３４の間であって前記ベース上り傾斜面７１１及びベース頂面７１２の部分にサブリブ８０が設けられ、そのサブリブ上り傾斜面８０１が前記リブ上り傾斜面３４１と同位置、同傾斜角度及び同高さに形成されているものは以下の作用効果が得られる。すなわち、コックリング現象が起きていない状態の記録紙先端がリブ上り傾斜面３４１を通ってリブ頂面３４２に到達する際に、実質のリブ間隔が密になってその搬送を安定化することができる。更に該サブリブ８０は、前記リブ頂面３４２の最上流側部分と同じ機能を発揮してペーパーギャップを安定良く規定することができる。
【００３８】
また、サブリブ頂面８０２が下流側に向かって前記リブ頂面３４２との高低差が漸次拡大するように形成されているので、以下の作用効果が得られる。記録ヘッド２２と対向する部分においては、記録紙がインクで濡れて撓みが発生し始め、その搬送進行と共に該撓みが徐々に成長するが、サブリブ頂面８０２は、下流側に向かって前記リブ頂面３４２との高低差が漸次拡大する。従って、サブリブ頂面８０２の高さがリブ頂面３４２の高さより、徐々に低くなるので、前記記録紙の撓みの成長に対応（追従）して、それを逃がすことができる。
【００３９】
また、サブリブ頂面８０２は、その下流端８０４の位置及び高さが前記ベース頂面７１２の下流端７１４の位置及び高さと一致するので、サブリブ頂面８０２の役割を、その最下流部分において前記ベース頂面７１２の役割と一体化することができ、効果的である。
また、記録ヘッド２２の下流に位置する下ガイド板２３に設けられた吸引口２５の隣り合う同士の間に補助リブ９０を設けたので、当該吸引口２５より上流位置で発生し且つ成長した記録紙のコックリングを、当該吸引口２５付近では不規則に乱すことが無い。すなわち、生成されたコックリングの山部分は、当該補助リブでその山状態を維持するように拘束されるため、谷側に引き寄せられてつぶれるということが無い。従って、ペーパーギャップの変動を低減でき、もって記録品質低下を防止することができる。
【００４０】
また、記録ヘッド２２との対向位置に設けられるプラテ３３ンは、ベース板７１と、該ベース板７１の上面に記録紙の搬送方向と直交する方向に一定間隔で平行に配設された複数のリブ３４とを備え、該リブ３４によって記録ヘッド２２のヘッド面と当該リブ３４上を通る記録紙との間隔を規定すると共にコックリングによる記録紙の撓みを各リブ間に逃がすように構成されて成り、該プラテン３３の下流側に下ガイド板２３が隣設され、前記吸引口２５は隣り合う前記リブ３４のほぼ中央に相当する位置に設けられているので、前記プラテン３３のリブ３４によって、規則的に生成されたコックリングの谷部分を当該吸引口２５によって下ガイド板２３に引き付けることになると共に、コックリングの山部分は当該補助リブ９０によって拘束されてその山状態が維持される。したがって、生成されたコックリングの規則性を一層効果的に維持することができる。
【００４１】
また、前記補助リブ９０は、隣り合う前記吸引口２５同士のほぼ中央位置に設けられているので、補助リブ９０の位置が前記プラテン３３上の前記リブ３４の位置と一致（記録紙搬送方向と直交する方向の配置）することになり、生成されたコックリングの規則性を更に一層効果的に維持することができる。更に、当該補助リブ９０は、記録紙搬送方向と直交する方向に一列に配列されているので、この一列配列構造により、生成されたコックリングの規則性をまた更に一層効果的に維持することができる。
【００４２】
【発明の効果】
本発明によれば、リブの下流側近傍位置に吸引口が設けられ、該吸引口により吸引して、記録紙を強制的に下ガイド板に引き付ける構成の記録装置であっても、記録ヘッドと対向する部分における記録紙のコックリングの振幅を小さく規制でき、これによって前記ペーパーギャップにコックリングの影響が現れるのを防止でき、もって記録品質低下の虞低減することができる。
【００４３】
即ち本発明によれば、リブ頂面は、リブ高さが０．１ｍｍ〜０．５ｍｍ程度と、従来よりもかなり小さく形成されているので、前記吸引力等の付勢力の影響で記録用紙の前記リブ間にある部分が下方に引っ張られても、直ちにベース頂面に接触して、伸びるのが抑制される。従って、記録ヘッドと対向する部分における記録紙のコックリングの振幅を小さく規制でき、これによって前記ペーパーギャップにコックリングの影響が現れるのを防止できる。
【００４４】
また、記録紙は、インクで濡れることによってコックリングの振幅が時間と共に、即ち搬送進行と共に、ある規模まで次第に大きくなっていくため、リブ高さが上記の小さいままでは、コックリングによる波打ち変形（用紙撓み）の逃げ場がなくなり、生成されたコックリングが不規則となって前記ペーパーギャップに悪影響を与える虞がある。しかし、本発明によれば、前記リブ下り傾斜面と前記ベース下り傾斜面は、下流側に向かって高低差が漸次拡大するように形成されているので、コックリングによる波打ち変形（用紙撓み）が次第に大きくなりつつ当該記録紙の搬送が進行しても、該波打ち変形の逃げが可能となり、コックリングの波打ち変形を規則的なものに安定化させることができる。
【図面の簡単な説明】
【図１】図１は本発明の一実施の形態に係る記録紙支持装置の要部斜視図である。
【図２】同記録紙支持装置の断面図であって、（Ａ）は図１のＡ−Ａ線断面図、（Ｂ）は図１のＢ−Ｂ線断面図である。
【図３】吸引口が設けられている部分の要部平面図である。
【図４】同記録紙支持装置を備えた大型プリンタの概略縦断面図である。
【図５】当該大型プリンタの印刷部（記録部）、正確にはその用紙搬送経路中に在る印刷部の前後における搬送面の構造を示した図である。
【図６】当該大型プリンタの概略正面図である。
【符号の説明】
７  印刷部
２２  記録（印刷）ヘッド
２３  下ガイド板
２５  吸引口（付勢手段）
３３  プラテン
３４  リブ
３４１  リブ上り傾斜面
３４２  リブ頂面
３４３  リブ下り傾斜面
３４４  面取部
７１  ベース板
７１１  ベース上り傾斜面
７１２  ベース頂面
７１３  ベース下り傾斜面
７１４  下流端
８０  サブリブ
８０１  サブリブ上り傾斜面
８０２  サブリブ頂面
８０４  下流端
９０  補助リブ
【図１】
0003915884.tif 000002
【図２】
0003915884.tif 000003
【図３】
0003915884.tif 000004
【図４】
0003915884.tif 000005
【図５】
0003915884.tif 000006
【図６】
0003915884.tif 000007